(57)【要約】【課題】ボールペンチップ先端部外面にインキが這い上がることを防止するとともに、インキ流出性の変動を容易に抑える。【解決手段】ボールペン１は先端部にボールペンチップ２を備える。ボールペンチップ２が、ボール外径Ｘより僅かに大きい内径を有するボール収納孔２１と、ボール収納孔２１の先端部に設けた内向きの先端縁部２２と、ボール収納孔２１の後端部に設けたボール受け座２３とを備える。先端縁部２２とボール受け座２３との間のボール収納孔２１にボール３を回転可能に抱持する。ボール３がボール受け座２３に接触された状態で、先端縁部２２内面とボール３外面との間に形成される隙間Ａの最小寸法ａを、ボール収納孔２１内面とボール３外面との間に形成される隙間Ｂの最小寸法ｂよりも大きく設定する。【選択図】  図２
2005035177.tif 000002
【特許請求の範囲】
【請求項１】
ボールペンチップを先端部に備え、前記ボールペンチップが、ボール外径より僅かに大きい内径を有するボール収納孔と、前記ボール収納孔の先端部に設けた内向きの先端縁部と、前記ボール収納孔の後端部に設けたボール受け座とを備え、前記先端縁部とボール受け座との間のボール収納孔にボールを回転可能に抱持してなるボールペンであって、
ボールがボール受け座に接触された状態で、先端縁部内面とボール外面との間に形成される隙間の最小寸法を、ボール収納孔内面とボール外面との間に形成される隙間の最小寸法よりも大きく設定したことを特徴とするボールペン。
【請求項２】
前記先端縁部内面とボール外面との間に形成される隙間の最小寸法と、前記ボール収納孔内面とボール外面との間に形成される隙間の最小寸法との差が、２μｍ以上である請求項１記載のボールペン。
【請求項３】
前記ボール収納孔内面とボール外面との間に形成される隙間の最小寸法が、ボール外径の０．５％〜２．０％の範囲であり、前記先端縁部内面とボール外面との間に形成される隙間の最小寸法が、ボール外径の２．１％〜４．０％の範囲である請求項１または２記載のボールペン。
【請求項４】
前記ボールペンチップを両端が開口されたインキ収容筒の前端開口部に接続し、前記インキ収容筒内に、インキと、該インキの後端に配置され且つ該インキの消費に伴って前進する追従体を収容し、前記インキの２０℃における粘度が、１ｍＰａ・ｓ〜５０ｍＰａ・ｓの範囲である請求項１、２または３のいずれかに記載のボールペン。
【請求項５】
前記ボールペンチップを両端が開口されたインキ収容筒の前端開口部に接続し、前記インキ収容筒内に、インキと、該インキの後端に配置され且つ該インキの消費に伴って前進する追従体を収容し、前記インキが、Ｅ型回転粘度計による２０℃における回転数１００ｒｐｍでの粘度が、３ｍＰａ・ｓ〜１６０ｍＰａ・ｓの範囲であり、且つ、剪断減粘性指数が０．８０〜０．９９の範囲である請求項１、２または３のいずれかに記載のボールペン。
【発明の詳細な説明】
【技術分野】
【０００１】
本発明は、ボールペンに関する。
【背景技術】
【０００２】
特許文献１には、ボアー部及び先端帯状面の内壁との間隙がいずれも０．０１２〜０．０３５ｍｍとする構成が記載され、さらに、ボールと帯状面の間隙、及びボールとボアー部の間隙の具体的な寸法が記載され、その寸法は、ボールと帯状面の間隙よりもボールとボアー部の間隙の方が大きい値となっている。なお、前記ボールと帯状面の間隙は、本発明の先端縁部内面とボール外面との隙間Ａに相当し、前記ボールとボアー部の間隙は、本発明のボール収納孔内面とボール外面との隙間Ｂに相当する。
【特許文献１】実開昭６０−２６８７８号明細書及び図面
【発明の開示】
【発明が解決しようとする課題】
【０００３】
前記特許文献１のボールペンは、先端縁部内面とボール外面との隙間が、ボール収納孔内面とボール外面との隙間よりも小さいため、筆記時に被筆記面に吸収または転写されなかった余剰インキが、ボールペンチップ内に戻らずにボールペンチップ先端部外面を這い上がり、ボールペンチップ先端部外面に付着するおそれがある。前記ボールペンチップ先端部外面にインキが付着してしまうと、ボールペンチップ先端部外面の見栄えが損なわれたり、筆記開始時や筆記途中で前記付着したインキが紙面に滴下し、被筆記面を汚すおそれがある。
【０００４】
さらに、前記特許文献１のボールペンは、先端縁部内面とボール外面との隙間が、ボール収納孔内面とボール外面との隙間よりも小さいことにより、先端縁部とボール外面との隙間の大小が、ボールペンチップ先端部からのインキ流出性に大きく影響する。そのため、前記先端縁部内面とボール外面との隙間の製造ばらつきが大きくなると、前記インキ流出性が大きく変動するおそれがある。
【０００５】
本発明は前記従来の問題点を解決するものであって、ボールペンチップ先端部外面にインキが這い上がることを防止し、ボールペンチップ先端部外面の見栄えが損なわれたり、筆記開始時や筆記途中で前記付着したインキが紙面に滴下し、被筆記面を汚すおそれがなく、しかも、インキ流出性の変動を容易に抑えることができるボールペンを提供しようとするものである。
【課題を解決するための手段】
【０００６】
〔１〕本発明は、ボールペンチップ２を先端部に備え、前記ボールペンチップ２が、ボール外径Ｘより僅かに大きい内径を有するボール収納孔２１と、前記ボール収納孔２１の先端部に設けた内向きの先端縁部２２と、前記ボール収納孔２１の後端部に設けたボール受け座２３とを備え、且つ、前記先端縁部２２と前記ボール受け座２３との間のボール収納孔２１にボール３を回転可能に抱持してなるボールペン１であって、ボール３がボール受け座２３に接触された状態で、先端縁部２２内面とボール３外面との間に形成される隙間Ａの最小寸法ａを、ボール収納孔２１内面とボール３外面との間に形成される隙間Ｂの最小寸法ｂよりも大きく設定したこと（請求項１）を要件とする。
【０００７】
前記請求項１のボールペン１は、先端縁部２２内面とボール３外面との間に形成される隙間Ａの最小寸法ａを、ボール収納孔２１内面とボール３外面との間に形成される隙間Ｂの最小寸法ｂよりも大きく設定したことにより、筆記時に被筆記面に吸収または転写されなかった余剰インキが、ボールペンチップ２先端部外面を這い上がらず、ボール３の回転に伴って、先端縁部２２内面とボール３外面との間に形成される隙間Ａからボール収納孔２１内にスムーズに戻ることができる。それにより、ボールペンチップ２先端部外面に余剰インキが付着することが無くなり、ボールペンチップ２先端部外面の見栄えが損なわれたり、筆記開始時や筆記途中で前記付着したインキが紙面に滴下し、被筆記面を汚すことを防止できる。
【０００８】
さらに、請求項１のボールペン１は、ボール収納孔２１内面とボール３外面との間に形成される隙間Ｂにより、インキ流出性を抑えることができる。前記ボール収納孔２１内面とボール３外面との間に形成される隙間Ｂは、製造ばらつきが小さく、寸法管理が容易であるため、インキ流出性の変動を容易に抑えることができる。
【０００９】
〔２〕前記請求項１のボールペン１において、前記先端縁部２２内面とボール３外面との間に形成される隙間Ａの最小寸法ａと、前記ボール収納孔２１内面とボール３外面との間に形成される隙間Ｂの最小寸法ｂとの差が、２μｍ以上（好ましくは３μｍ以上）であること（請求項２）が好ましい。
【００１０】
前記請求項２により、先端縁部２２内面とボール３外面との間に形成される隙間Ａに、筆記時の被筆記面に吸収または転写されなかった余剰インキを十分に取り込むことができ、より一層、前記余剰インキのボールペンチップ２先端部外面への這い上がり現象を抑えることができ、しかも、ボールペンチップ２先端部からのインキ流出性の変動を、ボール３外面と先端縁部２２内面との隙間Ａではなく、ボール３外面とボール収納孔２１内面との隙間Ｂにより、確実に抑えることができる。
【００１１】
仮に、前記隙間Ａの最小寸法ａと隙間Ｂの最小寸法ｂとの差が、２μｍより小さい場合、先端縁部２２内面とボール３外面との間に形成される隙間Ａが小さくなり、前記余剰インキを十分に取り込むことができず、ボールペンチップ２先端部外面にインキを這い上がらせるおそれがあったり、ボールペンチップ２先端部からのインキ流出性が先端縁部２２内面とボール３外面との隙間Ａにより変動するおそれがある。
【００１２】
〔３〕前記請求項１または２のボールペン１において、前記ボール収納孔２１内面とボール３外面との間に形成される隙間Ｂの最小寸法ｂが、ボール外径Ｘの０．５％〜２．０％の範囲であり、前記先端縁部２２内面とボール３外面との間に形成される隙間Ａの最小寸法ａが、ボール外径Ｘの２．１％〜４．０％の範囲であること（請求項３）が好ましい。
【００１３】
前記請求項３により、先端縁部２２内面とボール３外面との間に形成される隙間Ａの最小寸法ａを、ボール収納孔２１内面とボール３外面との間に形成される隙間Ｂよりも、確実に大きく設定でき、より一層、前記余剰インキのボールペンチップ２先端部外面への這い上がり現象を抑えることができる。
【００１４】
また、先端縁部２２内面とボール３外面との間に形成される隙間Ａの最小寸法ａが、ボール外径Ｘの２．１％〜４．０％の範囲であることにより、余剰インキの這い上がりを抑え、且つ、書き味の低下やボール３の脱落を防止できる。もし、前記隙間Ａの最小寸法ａがボール外径Ｘの２．１％より小さいと、余剰インキがボールペンチップ２の先端部外面への這い上がり現象が生じるおそれがある。前記隙間Ａの最小寸法ａがボール外径Ｘの４．０％より大きいと、先端縁部２２前方から突出するボール出長さが小さくなり、書き味が低下したり、先端縁部２２の径方向内方への突出長さが小さくなり、ボール３が先端縁部２２から前方に脱落するおそれがある。
【００１５】
また、ボール収納孔２１内面とボール３外面との間に形成される隙間Ｂの最小寸法ｂが、ボール外径Ｘの０．５％〜２．０％の範囲であることにより、適正なインキ流出性が得られる。前記隙間Ｂの最小寸法ｂがボール外径Ｘの０．５％より小さい場合は、インキ流出量が不足し、筆跡がかすれるおそれがあり、前記隙間Ｂの最小寸法ｂがボール外径Ｘの２．０より大きい場合、インキ流出量が過剰に多くなり、筆跡が滲むおそれがある。
【００１６】
〔４〕前記請求項１、２または３のボールペン１において、前記ボールペンチップ２を両端が開口されたインキ収容筒４の先端開口部に接続し、前記インキ収容筒４内に、インキ４１と、該インキの後端に配置され且つ該インキの消費に伴って前進する追従体４２を収容し、前記インキの２０℃における粘度が、１ｍＰａ・ｓ〜５０ｍＰａ・ｓの範囲であること（請求項４）が好ましい。
【００１７】
請求項４により、インキが低粘度となり、被筆記面へのインキの転写性または吸収性が向上し、被筆記面に転写または吸収されない余剰インキの発生を抑え、その結果、ボールペンチップ２先端部外面のインキ這い上がりを、より一層、回避することができる。
【００１８】
さらに、請求項４により、インキ４１の消費に伴い追従体４２が前進するタイプの筆記具（いわゆる直詰式ボールペン）を採用したことと、ボールペンチップ２先端部からのインキ流出性を、前記ボール収納孔２１内面とボール３外面との隙間Ｂが抑止することとが相まって、適正なインキ流出性を備えたシンプルな構造のボールペンが得られる。
【００１９】
〔５〕前記請求項１、２または３のボールペン１において、前記ボールペンチップ２を両端が開口されたインキ収容筒４の先端開口部に接続し、前記インキ収容筒４内に、インキと、該インキ４１の後端に配置され且つ該インキ４１の消費に伴って前進する追従体４２を収容し、前記インキが、Ｅ型回転粘度計による２０℃における回転数１００ｒｐｍでの粘度が、３ｍＰａ・ｓ〜１６０ｍＰａ・ｓの範囲であり、且つ、剪断減粘性指数が０．８０〜０．９９の範囲であること（請求項５）が好ましい。
【００２０】
請求項５により、インキが低粘度となり、被筆記面へのインキの転写性または吸収性が向上し、被筆記面に転写または吸収されない余剰インキを減少させ、その結果、ボールペンチップ２先端部外面のインキ這い上がりを、より一層、抑止することができる。
【００２１】
さらに、請求項５により、インキ４１の消費に伴い追従体４２が前進するタイプの筆記具（いわゆる直詰式ボールペン）を採用したことと、ボールペンチップ２先端部からのインキ流出性を、前記ボール収納孔２１内面とボール３外面との隙間Ｂが抑止することとが相まって、適正なインキ流出性を備えたシンプルな構造のボールペンが得られる。
【００２２】
尚、前記剪断減粘性指数ｎは、実験式Ｔ＝Ｋｊn （Ｔ：剪断応力値、ｊ：剪断速度、Ｋは計算された定数）に数値をあてはめることにより得られる。前記Ｅ型回転粘度計とは、ＥＭ型回転粘度計、ＥＬ型回転粘度計、ＥＨ型回転粘度計が挙げられる。
【発明の効果】
【００２３】
請求項１により、ボールペンチップ先端部外面にインキが這い上がることを防止し、ボールペンチップ先端部外面の見栄えが損なわれたり、筆記開始時や筆記途中で前記付着したインキが紙面に滴下し、被筆記面を汚すおそれがなく、しかも、インキ流出性の変動を容易に抑えることができる。
【００２４】
請求項２により、より一層、ボールペンチップ先端部外面にインキが這い上がることを防止し、ボールペンチップ先端部外面の見栄えが損なわれたり、筆記開始時や筆記途中で前記付着したインキが紙面に滴下し、被筆記面を汚すおそれがない。しかも、ボールペンチップ先端部からのインキ流出性の変動を、ボール外面と先端縁部内面との隙間ではなく、ボール外面とボール収納孔内面との隙間により、確実に抑えることができる。
【００２５】
請求項３により、より一層、前記余剰インキのボールペンチップ先端部外面への這い上がり現象を抑えることができ、さらに、適正なインキ流出性が得られ、且つ、書き味の低下やボールの脱落を防止できる。
【００２６】
請求項４により、ボールペンチップ先端部外面のインキ這い上がりを、より一層、抑止することができ、さらに、適正なインキ流出性を備えたシンプルな構造のボールペンを提供できる。
【００２７】
請求項５により、ボールペンチップ先端部外面のインキ這い上がりを、より一層、抑止することができ、さらに、適正なインキ流出性を備えたシンプルな構造のボールペンを提供できる。
【発明を実施するための最良の形態】
【００２８】
本発明を実施するための最良の形態を、以下、図面に従って説明する。
【実施例１】
【００２９】
図１及び図２に、本発明のボールペン１の第１実施例を示す。
【００３０】
本実施例のボールペン１は、先端部にボール３を回転可能に抱持したボールペンチップ２と、該ボールペンチップ２の後部が前部に圧入固着されたホルダー５と、該ホルダー５の後部が先端開口部に圧入固着されたインキ収容筒４と、該インキ収容筒４内に収容されるインキ４１及び追従体４２と、前記ボールペンチップ２内に収容配置される弾発部材７（スプリング）と、前記インキ収容筒４の後端開口部に圧入固着される尾栓６とからなる。
【００３１】
前記ボールペンチップ２は、先端部にボール３（ボール外径Ｘ：０．５ｍｍ）を回転可能に抱持した金属製（例えば、ステンレス鋼製）の筒体よりなる。前記ボールペンチップ２の内部には、切削加工により、先端部にボール収納孔２１が形成されるとともに、該ボール収納孔２１の後端部に円錐凹面状のボール受け座２３が形成され、さらに、該ボール受け座２３の後方にインキ流通孔２４が形成される。前記ボール収納孔２１の先端部には、内方へのカシメ変形により内向きの先端縁部２２が形成される。前記先端縁部２２とボール受け座２３との間のボール収納孔２１内において、ボール３が回転可能かつ前後方向に移動可能に抱持される。また、ボール受け座２３には、インキ誘導用の複数の軸方向に延びる放射状の溝２３ａが形成される。
【００３２】
本実施例の先端縁部２２内面とボール３外面との間に形成される隙間Ａの最小寸法ａは、０．０１５５ｍｍである。また、本実施例のボール収納孔２１内面とボール３外面との間に形成される隙間Ｂの最小寸法ｂは、０．００７５ｍｍである。即ち、本実施例では、先端縁部２２内面とボール３外面との間に形成される隙間Ａの最小寸法ａは、ボール収納孔２１内面とボール３外面との間に形成される隙間Ｂの最小寸法ｂよりも大きく設定される。
【００３３】
また、本実施例では、先端縁部２２内面とボール３外面との間に形成される隙間Ａの最小寸法ａと、ボール収納孔２１内面とボール３外面との間に形成される隙間Ｂの最小寸法ｂとの差は、０．００８ｍｍ（８μｍ）である。即ち、前記最小寸法ａと最小寸法ｂとの差は２μｍ以上（３μｍ以上）である。
【００３４】
また、本実施例では、先端縁部２２内面とボール３外面との間に形成される隙間Ａの最小寸法ａが、ボール外径Ｘの３．１％である。即ち、前記隙間Ａの最小寸法ａは、ボール外径Ｘの２．１％〜４．０％の範囲内にある。
【００３５】
また、本実施例では、ボール収納孔２１内面とボール３外面との間に形成される隙間Ｂの最小寸法ｂが、ボール外径Ｘの１．５％である。即ち、前記隙間Ｂの最小寸法ｂが、ボール外径Ｘの０．５％〜２．０％の範囲内にある。
【００３６】
前記ホルダー５は、合成樹脂（例えば、ポリプロピレン、ポリアセタール等）の射出成形により得られる筒体である。前記ホルダー５は、ボールペンチップ２が取り付けられる先細状の前部と、該前部より後方に連設され且つインキ収容筒４の先端に当接する鍔部と、該鍔部より後方に連設され且つインキ収容筒４の先端開口部に圧入固着される後部とからなる。前ホルダー５の内部には、ボールペンチップ２の後部が圧入固着される取付孔５１と、該取付孔５１の後方の内面に突設され且つ弾発部材７の後端が係止される係止部５１ａと、該係止部５１ａの後方に形成され且つ該取付孔５１に連通するインキ流通孔５２とが形成される。尚、本発明は、前記ホルダー５を介さず、ボールペンチップ２を直接インキ収容筒４の前端開口部に圧入する構成でもよい。
【００３７】
前記インキ収容筒４は、両端が開口された円筒体であり、合成樹脂（例えば、ポリプロピレン）の押出成形により得られる。前記インキ収容筒４の先端開口部には、ボールペンチップ２を備えたホルダー５の後部が圧入固着される。前記インキ収容筒４の内部には、インキ４１と、該インキ４１の後端に配置され且つ該インキ４１の消費に伴って前進する追従体４２とが収容される。
【００３８】
前記インキ４１は、Ｂ型回転粘度計における２０℃での粘度が９ｍＰａ・ｓである水性インキ、または、ＥＬ型回転粘度計における２０℃での回転数１００ｒｐｍの粘度が５ｍＰａ・ｓであるとともに剪断減粘性指数が０．９７である水性インキである。
【００３９】
前記追従体４２は、高粘度流体４２ａと、該高粘度流体４２ａ中に収容させた固形物４２ｂとからなる。尚、前記追従体４２は、前記以外にも、固形物４２ｂを備えない高粘度流体４２ａのみからなる構成、またはインキ収容筒４内壁と摺動可能な固形物４２ｂのみからなる構成であってもよい。
【００４０】
前記弾発部材７は、線径０．１２ｍｍ〜０．１４ｍｍのステンレス鋼製線材よりなり、前部のストレート部７１と、後部のコイル部７２とが一体に連設されてなる。前記コイル部７２の後端部には、密着巻部７３が形成され、前記密着巻部７３の後端が、ホルダー５内面の係止部５１ａに当接される。前記ストレート部７１は、ボールペンチップ２のインキ流通孔２４内に挿通され、前記ストレート部７１の先端は、ボール３の後面を前方に押圧し、ボール３が先端縁部２２の内面に密接される。それにより、非筆記時、ボール３と先端縁部２２との間からインキが漏出することを防止する。
【００４１】
前記尾栓６は、インキ収容筒４の後端開口部に圧入固着される。前記尾栓６は、軸方向に通気孔６１が貫設され、前記通気孔６１により、インキ収容筒４内の追従体４２後方の空間と外気とが連通される。            
【実施例２】
【００４２】
図３及び図４に、本発明のボールペン１の第２実施例を示す。
【００４３】
本実施例のボールペン１は、先端部にボール３を回転可能に抱持したボールペンチップ２と、該ボールペンチップ２の後部が前部に圧入固着されたホルダー５と、該ホルダー５の後部が先端開口部に圧入固着されたインキ収容筒４と、該インキ収容筒４内に収容されるインキ４１及び追従体４２と、前記ボールペンチップ２内に収容配置される弾発部材７（スプリング）と、前記インキ収容筒４の後端開口部に圧入固着される尾栓６とからなる。
【００４４】
前記ボールペンチップ２は、先端部にボール３を回転可能に抱持した金属製（例えば、ステンレス鋼製）のストレート状パイプよりなる。前記ボールペンチップ２の先端近傍内面には、内方への押圧変形により、ボール受け座２３となる４個の内方突出部が周方向に等間隔に形成される。前記内方突出部の前面は、円錐凹面状となっている。また、前記ボールペンチップ２の先端部には、内方へのカシメ変形により環状の内向きの先端縁部２２が形成される。前記先端縁部２２内面と内方突出部前面（ボール受け座２３）との間にはボール収納孔２１が形成され、前記ボール収納孔２１には、ボール３（ボール外径Ｘ：０．５ｍｍ）が回転可能且つ前後方向に移動可能に抱持される。さらに、前記ボール受け座２３後方にはインキ流通孔２４が形成される。
【００４５】
本実施例の先端縁部２２内面とボール３外面との間に形成される隙間Ａの最小寸法ａは、０．０１５５ｍｍであり、また、本実施例のボール収納孔２１内面とボール３外面との間に形成される隙間Ｂの最小寸法ｂは、０．００７５ｍｍである。即ち、本実施例では、先端縁部２２内面とボール３外面との間に形成される隙間Ａの最小寸法ａは、ボール収納孔２１内面とボール３外面との間に形成される隙間Ｂの最小寸法ｂよりも大きく設定される。
【００４６】
また、本実施例では、先端縁部２２内面とボール３外面との間に形成される隙間Ａの最小寸法ａと、ボール収納孔２１内面とボール３外面との間に形成される隙間Ｂの最小寸法ｂとの差は、０．００８ｍｍ（８μｍ）である。即ち、前記最小寸法ａと最小寸法ｂとの差は２μｍ以上（３μｍ以上）である。
【００４７】
また、本実施例では、先端縁部２２内面とボール３外面との間に形成される隙間Ａの最小寸法ａが、ボール外径Ｘの３．１％である。即ち、前記隙間Ａの最小寸法ａは、ボール外径Ｘの２．１％〜４．０％の範囲内にある。
【００４８】
また、本実施例では、ボール収納孔２１内面とボール３外面との間に形成される隙間Ｂの最小寸法ｂが、ボール外径Ｘの１．５％である。即ち、前記隙間Ｂの最小寸法ｂが、ボール外径Ｘの０．５％〜２．０％の範囲内にある。
【００４９】
前記ホルダー５は、合成樹脂（例えば、ポリプロピレン、ポリアセタール）の射出成形により得られる筒状体である。前記ホルダー５は、ボールペンチップ２が取り付けられる先細状の前部と、インキ収容筒４の先端面と当接する鍔部と、インキ収容筒４の先端開口部に圧入される後部とからなる。前記ホルダー５内部には、ボールペンチップ２の後部が圧入固着される取付孔５１と、該取付孔５１にその先端が連通し且つその後端が外部に開口するインキ流通孔５２とが設けられる。前記インキ流通孔５２の中間部内面には、周状に分散配置される複数（例えば４個）の係止突起５２ａが一体に形成される。
【００５０】
前記弾発部材７は、線径０．１２ｍｍ〜０．１４ｍｍのステンレス鋼製線材よりなり、前部のストレート部７１と後部のコイル部７２とが一体に連設されてなる。前記コイル部７２の後端部には、外径が前方のコイル部７２より大きく設定された膨出部７３ａが形成される。前記膨出部７３ａは、線材間が密着した密着巻部７３により形成される。前記膨出部７３ａが，ホルダー５内面の係止突起５２ａを後方より乗り越えて、前記係止突起５２ａの前面に係止される。前記ストレート部７１は、ボールペンチップ２のインキ流通孔２４内に挿通され、前記ストレート部７１の先端は、ボール３の後面を前方に押圧し、ボール３が先端縁部２２の内面に密接される。それにより、非筆記時、ボール３と先端縁部２２との間からインキが漏出することを防止する。
【００５１】
前記インキ収容筒４は、両端が開口された円筒体であり、合成樹脂（例えば、ポリプロピレン）の押出成形により得られる。前記インキ収容筒４の先端開口部には、ボールペンチップ２を備えたホルダー５の後部が圧入固着される。前記インキ収容筒４の内部には、インキ４１と、該インキ４１の後端に配置され且つ該インキ４１の消費に伴って前進する追従体４２とが充填される。
【００５２】
前記インキ４１は、Ｂ型回転粘度計における２０℃での粘度が９ｍＰａ・ｓである水性インキ、または、ＥＬ型回転粘度計における２０℃での回転数１００ｒｐｍの粘度が３．５ｍＰａ・ｓであるとともに剪断減粘性指数が０．９７である水性インキである。
【００５３】
前記追従体４２は、高粘度流体４２ａと、該高粘度流体４２ａ中に収容させた固形物４２ｂとからなる。尚、前記追従体４２は、前記以外にも、固形物４２ｂを備えない高粘度流体４２ａのみからなる構成、またはインキ収容筒４内壁と摺動可能な固形物４２ｂのみからなる構成であってもよい。
【００５４】
前記尾栓６は、インキ収容筒４の後端開口部に圧入固着される。前記尾栓６は、軸方向に通気孔６１が貫設され、前記通気孔６１により、インキ収容筒４内の追従体４２後方の空間と外気とが連通される。
【図面の簡単な説明】
【００５５】
【図１】本発明の第１実施例を示す縦断面図である。
【図２】図１のボールペンチップ先端部を示す拡大縦断面図である。
【図３】本発明の第２実施例を示す縦断面図である。
【図４】図３のボールペンチップ先端部を示す拡大縦断面図である。
【符号の説明】
【００５６】
１  ボールペン
２  ボールペンチップ
２１  ボール収納孔
２２  先端縁部
２３  ボール受け座
２３ａ  放射状の溝
２４  インキ流通孔
３  ボール
４  インキ収容筒
４１  インキ
４２  追従体
４２ａ  高粘度流体
４２ｂ  固形物
５  ホルダー
５１  取付孔
５１ａ  係止部
５２  インキ流通孔
５２ａ  係止突起
６  尾栓
６１  通気孔
７  弾発部材
７１  ストレート部
７２  コイル部
７３  密着巻部
７３ａ  膨出部
Ａ  先端縁部内面とボール外面との間の隙間
Ｂ  ボール収納孔内面とボール外面との間の隙間
ａ  隙間Ａの最小寸法
ｂ  隙間Ｂの最小寸法
Ｘ  ボール外径
【図１】
2005035177.tif 000003
【図２】
2005035177.tif 000004
【図３】
2005035177.tif 000005
【図４】
2005035177.tif 000006